(57)【要約】【課題】ユーザが使用する観察光源下において、どの印刷媒体の色再現領域（ガマット体積）が最も広いのかを、測色機を使用せずに、ユーザが容易に知ることができる印刷媒体選択装置を提供することを目的とする。【解決手段】印刷物の観察光源を指定する手段と、複数の印刷媒体のそれぞれについて、画像出力装置が出力した出力画像から取得した分光反射率を記憶する記憶手段と、前記指定された観察光源と前記各分光反射率とに基づいて、印刷媒体のガマット体積を決定する手段と、前記ガマット体積に基づいて印刷媒体を選択する手段とを有する。【選択図】図３
2015115688.tif 000002
【特許請求の範囲】
【請求項１】
印刷物の観察光源を指定する手段と、
複数の印刷媒体のそれぞれについて、画像出力装置が出力した出力画像から取得した分光反射率を記憶する記憶手段と、
前記指定された観察光源と前記各分光反射率とに基づいて、印刷媒体のガマット体積を決定する手段と、
前記ガマット体積に基づいて印刷媒体を選択する手段と、
を有することを特徴とする印刷媒体選択装置。
【請求項２】
請求項１であって、
前記ガマット体積が大きい順に、印刷媒体種別をソートする手段を有することを特徴とする印刷媒体選択装置。
【請求項３】
請求項２であって、
前記ソートした結果のリストを表示する手段を有することを特徴とする印刷媒体選択装置。
【請求項４】
請求項２であって、
前記印刷媒体を選択する手段は、前記ソート結果に応じて、印刷媒体を選択する手段であることを特徴とする印刷媒体選択装置。
【請求項５】
印刷物の観察光源を指定する手段と、
保持されている画像に含まれているＲＧＢ値のヒストグラムを作成する手段と、
複数の印刷媒体のそれぞれについて、画像出力装置が出力した出力画像から取得した分光反射率を記憶する記憶手段と、
分光反射率と、観察光源の照明データとによって、物体色の三刺激値Ｘ、Ｙ、Ｚを算出する手段と、
この求められた物体色の三刺激値ＸＹＺの値から、Ｌ'＊、ａ'＊、ｂ'＊を求める手段と、
前記求められたＬ'＊、ａ'＊、ｂ'＊に基づいて、Ｌａｂ空間内におけるガマット体積を算出する手段と、
前記求められた三刺激値ＸＹＺをＬ'＊、ａ'＊、ｂ'＊に変換し、Ｌａｂ空間内において入力画像に含まれるカラーデータが、ガマット体積の中であるか外であるかを判定する手段と、
前記作成されたヒストグラムと前記求めたガマット体積とによって、入力画像に含まれている色データの何割がガマット体積内に含まれているのかを判定し、入力画像に含まれるカラーデータが、ガマット体積の内部に含まれる率である色含有率を求める手段と、
前記求められた色含有率に基づいて印刷媒体を選択する手段と、
を有することを特徴とする印刷媒体選択装置。
【請求項６】
請求項５であって、
前記色含有率が大きい順に、印刷媒体種別をソートする手段を有することを特徴とする印刷媒体選択装置。
【請求項７】
請求項６であって、
前記ソートした結果のリストを表示する手段を有することを特徴とする印刷媒体選択装置。
【請求項８】
印刷物の観察光源を指定する工程と、
複数の印刷媒体のそれぞれについて、画像出力装置が出力した出力画像から取得した分光反射率を記憶する記憶工程と、
前記指定された観察光源と前記各分光反射率とに基づいて、印刷媒体のガマット体積を決定する工程と、
前記ガマット体積に基づいて印刷媒体を選択する工程と、
を有することを特徴とする印刷媒体選択方法。
【請求項９】
印刷物の観察光源を指定する工程と、
保持されている画像に含まれているＲＧＢ値のヒストグラムを作成する工程と、
複数の印刷媒体のそれぞれについて、画像出力装置が出力した出力画像から取得した分光反射率を記憶する記憶工程と、
分光反射率と、観察光源の照明データとによって、物体色の三刺激値Ｘ、Ｙ、Ｚを算出する工程と、
この求められた物体色の三刺激値ＸＹＺの値から、Ｌ'＊、ａ'＊、ｂ'＊を求める工程と、
前記求められたＬ'＊、ａ'＊、ｂ'＊に基づいて、Ｌａｂ空間内におけるガマット体積を算出する工程と、
前記求められた三刺激値ＸＹＺをＬ'＊、ａ'＊、ｂ'＊に変換し、Ｌａｂ空間内において入力画像に含まれるカラーデータが、ガマット体積の中であるか外であるかを判定する工程と、
前記作成されたヒストグラムと前記求めたガマット体積とによって、入力画像に含まれている色データの何割がガマット体積内に含まれているのかを判定し、入力画像に含まれるカラーデータが、ガマット体積の内部に含まれる率である色含有率を求める工程と、
前記求められた色含有率に基づいて印刷媒体を選択する工程と、
を有することを特徴とする印刷媒体選択方法。
【請求項１０】
請求項８または請求項９に記載の印刷媒体選択方法をコンピュータに実行させるためのプログラム。
【発明の詳細な説明】
【技術分野】
【０００１】
本発明は、観察する光源に適した印刷媒体を選択する印刷媒体選択装置、印刷媒体選択方法及びプログラムに関する。
【背景技術】
【０００２】
近年、デジタルカメラ、カラースキャナなどの画像入力デバイスによって画像を入力し、カラープリンタなどの印刷装置によって出力することが広く普及している。このような状況に伴い、各デバイスの色再現域の差を吸収し、目的に応じて色を補正するカラーマネージメント技術が注目されている。カラーマネージメント技術により、例えば、デジタルカメラで撮影された画像を、好ましい画像に変換してプリンタでプリント出力することができる。
【０００３】
しかし、画像の見え方は、観察する光源によって大きく変わることがある。このため観察する光源が変わると、ある光源下で好ましく見えるようにプリント出力された画像も、変化した後の光源下では、好ましくない画像に見える可能性がある。例えば、昼光色蛍光ランプのような青白い光源下において好ましく見える画像をプリント出力したとしても、出力した画像を電球のような赤い光源下で観察すると、画像全体が赤っぽく見えるので、好ましくない画像であると判断されることがある。
【０００４】
この問題を解決するには、プリント出力物を観察する光源を予め取得し、この取得した光源に適するカラーマネージメント処理を行った後に、出力する必要がある。
【０００５】
観察光源に適したカラーマネージメントを行う方法が特許文献１で提案されている。特許文献１に記載の発明では、観察光源情報をユーザが入力する。この入力された観察光源情報と、プリンタの出力画像から取得した分光反射率とに基づいて、指定された光源下におけるプリンタの色再現特性を算出し、指定された光源下における好適な色補正を行う。
【０００６】
印刷に用いる印刷媒体として、現在は光沢紙、光沢フィルム、マット紙など様々な印刷媒体が用意されている。印刷媒体の種類やインクによって、光源の変化に対する応答は異なるが、この処理を施した画像を印刷することによって、観察光源に合わせた最適な印刷物を作成することができる。
【先行技術文献】
【特許文献】
【０００７】
【特許文献１】特開２００７−１６６４０２号公報
【発明の概要】
【発明が解決しようとする課題】
【０００８】
図１は、Ｌａｂ空間における所定の印刷装置の色再現領域を、ａｂ平面に投影した模式図である。
【０００９】
光源Ａの元では、色再現領域が形状１であるが、光源Ｂの元では、色再現領域が形状２であるように変化し、表現できる色の範囲も変化する。
【００１０】
この表現できる色の範囲の変化の度合いは、印刷媒体毎に異なるが、特許文献１に記載の発明では、使用する観察光源下において、印刷に用いる印刷媒体のガマット体積が、どのように変化するのかを、ユーザが知ることができないという問題がある。
【００１１】
このために、指定した観察光源において、色再現領域が最も広い印刷媒体を知りたい場合、各印刷媒体にチャートを印刷し、この印刷したチャートを、使用したい観察光源下で測色する。そして、この測色値に基づいて、色再現領域を確認する必要がある。
【００１２】
特許文献１に記載の発明では、上記のように、ユーザが使用する色を、どの印刷媒体で最も表現し易いかを知るために、測色値に基づいて色再現領域を確認する作業を、ユーザが実行する必要があり、煩雑であるという問題がある。
【００１３】
また、特許文献１に記載の発明では、その確認作業に必要な測色機などをユーザが持たなければ、ユーザが使用する色を、どの印刷媒体が最も表現し易いのかを知ることができないという問題がある。
【００１４】
本発明は、ユーザが使用する観察光源下において、どの印刷媒体の色再現領域（ガマット体積）が最も広いのかを、測色機を使用せずに、ユーザが容易に知ることができる印刷媒体選択装置を提供することを目的とする。
【課題を解決するための手段】
【００１５】
本発明の印刷媒体選択装置は、印刷物の観察光源を指定する手段と、複数の印刷媒体のそれぞれについて、画像出力装置が出力した出力画像から取得した分光反射率を記憶する記憶手段と、前記指定された観察光源と前記各分光反射率とに基づいて、印刷媒体のガマット体積を決定する手段と、前記ガマット体積に基づいて印刷媒体を選択する手段とを有することを特徴とする。
【発明の効果】
【００１６】
本発明によれば、ユーザが使用する観察光源下において、どの印刷媒体の色再現領域（ガマット体積）が最も広いのかを、測色機を使用せずに、ユーザが容易に知ることができるという効果を奏する。
【図面の簡単な説明】
【００１７】
【図１】Ｌａｂ空間における印刷装置の色再現領域をａｂ平面に投影した図である。
【図２】本発明の実施例に係る印刷媒体選択装置２００を示す図である。
【図３】印刷媒体選択装置２００の処理手順を示すフローチャートである。
【図４】ＵＩ部２０１を示す図である。
【図５】印刷媒体の種別に対応して割り振られたＩＤの例を示す図である。
【図６】分光反射率記憶部２０２に保持されている分光反射率の例を示す図である。
【図７】本発明の実施例２に係る印刷媒体選択装置７００の例を示す図である。
【図８】印刷媒体選択装置７００の処理手順を示すフローチャートである。
【図９】入力画像に含まれる色データを色再現領域内にマッピングした図である。
【図１０】ネットワークを介してシステムを構築した場合の例を示す図である。
【発明を実施するための形態】
【００１８】
発明を実施するための形態は、以下の実施例である。
【実施例１】
【００１９】
図２は、本発明の実施例に係る印刷媒体選択装置２００を示す図である。
【００２０】
印刷媒体選択装置２００は、ＵＩ部２０１、分光反射率記憶部２０２、光源補正演算部２０３、演算結果保持部２０４、演算結果ソート部２０５で構成されている。
【００２１】
ＵＩ部２０１は、ユーザが使用を望む観察光源の情報を、ＵＩ上で取得する。
【００２２】
分光反射率記憶部２０２は、印刷媒体ＩＤ、印刷媒体種別ＩＤ及び予め測定した出力画像の分光反射率Ｒ（λ）などを記憶する。なお、印刷媒体は、メディアとも呼ばれている。
【００２３】
光源補正演算部２０３は、まず、ＵＩ部２０１から取得した印刷媒体種類情報に応じて、分光反射率記憶部２０２から、印刷媒体ＩＤ、印刷媒体種別ＩＤ及び予め測定した出力画像の分光反射率Ｒ（λ）などを取得する。そして、光源補正演算部２０３は、三刺激値ＸＹＺを求め、この求めた三刺激値ＸＹＺに基づいて、ＪＩＳ  Ｚ８７２９に示されているＣＩＥＬＡＢ（Ｌ'＊、ａ'＊、ｂ'＊）の値を演算する。
【００２４】
演算結果保持部２０４は、光源補正演算部２０３が演算した、印刷媒体ＩＤ、印刷媒体種別ＩＤ及び予め測定した出力画像の分光反射率Ｒ（λ）（ＣＩＥＬＡＢ（Ｌ'＊、ａ'＊、ｂ'＊））等を保持する。
【００２５】
演算結果ソート部２０５は、演算結果保持部２０４が保持している出力画像の分光反射率Ｒ（λ）をソートする。
【００２６】
次に、印刷媒体選択装置２００の動作について説明する。
【００２７】
図３は、印刷媒体選択装置２００の処理手順を示すフローチャートである。
【００２８】
まず、処理の開始にあたり、画像処理装置に設定されているパラメータやフラグ類を初期化する（Ｓ３０１）。次に、ＵＩ部２０１は、後述の方法によって、ユーザが使用を望む観察光源の情報をＵＩ上で取得する（Ｓ３０２）。そして、後述する方法によって、ユーザが使用を希望する複数の印刷媒体の種別の情報を、ＵＩ上で取得する（Ｓ３０３）。
【００２９】
光源補正演算部２０３は、ＵＩ部２０１で取得した印刷媒体種類情報を元に、分光反射率記憶部２０２から、印刷媒体ＩＤ、印刷媒体種別ＩＤ及び予め測定しておいた出力画像の分光反射率Ｒ（λ）などを取得する（Ｓ３０４）。なお、印刷媒体は、メディアともよぶ印刷媒体である。
【００３０】
図５は、印刷媒体の種別に対応して割り振られたＩＤの例を示す図である。
【００３１】
上記印刷媒体種別ＩＤは、図５に示すように、印刷媒体の種類ごとに割り振られ、これを参照することによって、その印刷媒体がどの種別に属するかを判別することができる。
【００３２】
図６は、分光反射率記憶部２０２に保持されている分光反射率等の例を示す図である。
【００３３】
印刷媒体ＩＤ、印刷媒体種別ＩＤ、分光反射率などは、図６に示すように印刷媒体毎の情報として、分光反射率記憶部２０２に格納されている。
【００３４】
図６は、ＲＧＢ空間を均等に９ｘ９ｘ９に分割したカラーパッチを測定して、求めた分光反射率の例を示す図であり、この求められた分光反射率が、印刷媒体毎に格納されている。
【００３５】
次に、光源補正演算部２０３は、読み出したデータの印刷媒体種別ＩＤを参照し、この印刷媒体種別ＩＤが、指定された種別であれば、次の演算ステップに進み、そうでなければ、次の印刷媒体の処理を進める（Ｓ３０５）。
【００３６】
指定された印刷媒体種類であれば、物体色の三刺激値Ｘ、Ｙ、Ｚを算出する。つまり、上記読み出された分光反射率Ｒ（λ）（波長ごとの反射率）と、ＵＩ部２０１において指定された観察光源の照明データＳ（λ）（光源の分光分布）と、等色関数x（λ）、ｙ（λ）、ｘ（λ）とによって、物体色の三刺激値Ｘ、Ｙ、Ｚを算出する。この場合、ＪＩＳ  Ｚ  ８７０１に定められる下記の式にしたがって、光源補正演算部２０３が、物体色の三刺激値Ｘ、Ｙ、Ｚを算出する。
【００３７】
【数１】
2015115688.tif 000003
さらに、この三刺激値ＸＹＺに基づいて、光源補正演算部２０３が、ＪＩＳ  Ｚ８７２９に示されているＣＩＥＬＡＢ（Ｌ'＊、ａ'＊、ｂ'＊）の値を算出する（Ｓ３０６）。
【００３８】
次に、Ｓ３０６で算出した（Ｌ'＊、ａ'＊、ｂ'＊）から、Ｌａｂ空間内でのガマット体積を算出し、この算出されたガマット体積を、指定された光源下でのガマット体積として、演算結果保持部２０４に格納する（Ｓ３０７）。なお、上記「ガマット体積」は、「色再現領域の体積」とも呼ばれる。
【００３９】
その後、全ての印刷媒体が終了したかどうかを判定し（Ｓ３０８）、まだ終わっていなければ、印刷媒体ＩＤを１加算し、次の印刷媒体について演算処理する（Ｓ３０９）。
【００４０】
全ての印刷媒体に対して演算が終わると、演算結果保持部２０４からガマット体積を読み出し、演算結果ソート部２０５は、ガマット体積が大きい順に、印刷媒体種別をソートする（Ｓ３１０）。そして、ＵＩ部２０１が、このソートした結果である印刷媒体のリストを表示する（Ｓ３１１）。
【００４１】
次に、ＵＩ部２０１を用いてユーザが行なう照明情報の設定について説明する。
【００４２】
図４は、本実施例において印刷物観察環境の照明データＳ（λ）を取得するための、ＵＩ部２０１を示す図である。
【００４３】
ＵＩ部２０１は、観察光源を指定するラジオボタン４０１と、ユーザが使用したい印刷媒体種別を指定するラジオボタン４０２と、ソートの実行を促す実行ボタン４０３と、ソート結果のリストを表示するリスト表示部４０４とを有する。
【００４４】
観察光源を指定するラジオボタン４０１において、ユーザが使用したい観察光源を一つ選び、そのボタンを押下する。
【００４５】
本実施例において、観察光源の指定は一種類であるが、特開２００７-１６６４０２号公報に開示されているような演算方法を用いれば、複数の光源を選択することも可能である。
【００４６】
印刷媒体種別の指定ボタン４０２で、印刷においてユーザが使用したい印刷媒体の種別を複数指定することができる。また、特に種別を限定したくなければ、指定無しのボタンを選択する。指定無しのボタンを選んだ場合、他の印刷媒体の指定はクリアされる。
【００４７】
ソート実行ボタン４０３をユーザが押下すると、演算が実行され、指定種別に含まれる印刷媒体が、色再現領域（ガマット体積）の広い順にリストアップされて、リスト表示部４０４に表示される。
【００４８】
上記のように、本実施例によれば、ユーザが想定する観察光源情報と印刷媒体種別とに基づいて、ガマット体積が大きい順に、印刷媒体をソートして表示する。したがって、この表示をユーザが見た結果、どの印刷媒体を使用すれば発色の良い印刷が可能であるのかを、ユーザが容易に判断することができる。
【実施例２】
【００４９】
図７は、本発明の実施例２に係る印刷媒体選択装置７００の例を示す図である。
【００５０】
印刷媒体選択装置７００は、ＵＩ部７０１、分光反射率記憶部７０２、光源補正演算部７０３、演算結果保持部７０４、演算結果ソート部７０５、画像入力部７０６、ヒストグラム作成部７０７、画像データ保持部７０８を有する。
【００５１】
画像入力部７０６、ヒストグラム作成部７０７、画像データ保持部７０８以外は、印刷媒体選択装置２００と同じである。
【００５２】
ヒストグラム作成部７０７は、保持されている元画像のデータを読み込み、読み込んだ画像に含まれているＲＧＢ値のヒストグラムを作成する。
【００５３】
次に、印刷媒体選択装置７００の動作を示すフローチャートである。
【００５４】
図８は、印刷媒体選択装置７００の処理手順を示すフローチャートである。
【００５５】
まず、印刷を行ないたい元画像を、画像入力部７０６から入力し、この入力した元画像を、画像データ保持部７０８に一旦保持する（Ｓ８０１）。
【００５６】
次に、ヒストグラム作成部７０７が、上記保持されている元画像のデータを読み込み、画像に含まれているＲＧＢ値のヒストグラムを作成する（Ｓ８０２）。
【００５７】
次に、印刷媒体選択装置７００に設定されているパラメータやフラグ類を初期化し（Ｓ８０３）、ＵＩ部７０１は、実施例１と同様の方法によって、ユーザが使用を望む観察光源の情報を、ＵＩ上で取得する（Ｓ８０４）。次に、実施例１と同様の方法によって、ユーザが使用を希望する複数の印刷媒体の種別の情報を、ＵＩ上で取得する（Ｓ８０５）。
【００５８】
光源補正演算部７０３は、ＵＩ部７０１で取得した印刷媒体種類情報を元に、分光反射率記憶部７０２から、印刷媒体ＩＤ、印刷媒体種別ＩＤ及び予め測定しておいた出力画像の分光反射率Ｒ（λ）などを取得する（Ｓ７０６）。
【００５９】
上記印刷媒体種別ＩＤは、実施例１と同様に、印刷媒体の種類ごとに割り振られ、この割り振られたＩＤを参照することによって、その印刷媒体がどの種別に属すのかを判別することができる。
【００６０】
また、上記印刷媒体ＩＤ、印刷媒体種別ＩＤ、分光反射率などは、実施例１の図６に示すように、印刷媒体毎の情報として、分光反射率記憶部７０２に格納されている。
【００６１】
次に、光源補正演算部７０３は、読み出した印刷媒体の印刷媒体種別ＩＤを参照し、それが指定された種別であれば、次の演算ステップに進み、そうでなければ、次の印刷媒体へ処理を進める（Ｓ８０７）。
【００６２】
指定された印刷媒体種別であれば、上記読み出された分光反射率Ｒ（λ）と、ＵＩ部７０１において指定された観察光源の照明データＳ（λ）とによって、実施例１と同様に、物体色の三刺激値Ｘ、Ｙ、Ｚを算出する。この場合、ＪＩＳ  Ｚ  ８７０１に定められている式に従って、物体色の三刺激値Ｘ、Ｙ、Ｚを算出する。
【００６３】
この物体色の三刺激値ＸＹＺの値から、ＪＩＳ  Ｚ８７２９で示されているＣＩＥＬＡＢの値（Ｌ'＊、ａ'＊、ｂ'＊）を算出する。さらに、この算出した（Ｌ'＊、ａ'＊、ｂ'＊）に基づいて、Ｌａｂ空間内でのガマット体積を算出し、この算出された体積を、指定された光源下でのガマット体積として、演算結果保持部７０４に格納する（Ｓ８０８）。
【００６４】
次に、Ｓ８０２で作成した入力画像のヒストグラムと、Ｓ８０８で算出したガマット体積（色再現領域の体積）とによって、入力画像に含まれている色データの何割がガマット体積内に含まれているのかを判定する。
【００６５】
このときに、本実施例では、入力されたＲＧＢが、国際標準色空間であるｓＲＧＢであるとして説明する。ｓＲＧＢとＣＩＥ三刺激値ＸＹＺとは、下記の変換式で関連付けられている。
【００６６】
【数２】
2015115688.tif 000004
この式によって算出された三刺激値ＸＹＺを、ＪＩＳ  Ｚ８７２９で示されているＣＩＥＬＡＢに変換し、Ｌａｂ空間内において入力画像に含まれるカラーデータが、ガマット体積（色再現領域）の中であるか外であるかを判定する。そして、Ｓ８０９で、ガマット体積の内部に含まれる率を、色含有率として計算し、この計算結果を、演算結果保持部７０４に格納する。
【００６７】
その後に、全ての印刷媒体が終了したかどうかを判定し（Ｓ８１０）、まだ終わっていなければ、印刷媒体ＩＤを１加算し、次の印刷媒体に対して演算処理を行なう（Ｓ８１１）。
【００６８】
全ての印刷媒体に対しての演算が終わると、演算結果ソート部７０５は、演算結果保持部７０４から、演算結果を読み出し、色含有率が大きい順に、印刷媒体種別をソートし（Ｓ８１２）、このソートした結果のリストを、ＵＩ部７０１に表示する（Ｓ８１３）。
【００６９】
上記のように、本実施例によれば、ユーザが想定する観察光源情報と印刷媒体種別と、入力された元画像の色情報とに基づいて、色含有率が大きい順に、印刷媒体をソートして表示できる。この表示をユーザが見たときに、どの印刷媒体を使用すれば、色含有率の高い印刷が可能であるのかを、ユーザが容易に判断することができる。
【００７０】
また、上記実施例では、入力された色データがカラーマネジメントされる前におけるプリンタの最大の色再現範囲（ガマット体積）の中に、入力された色データが含まれる率を、色含有率として計算する。この場合、上記色再現範囲として、ＩＣＣプロファイル等を用いたカラーマッチングを実施した結果、色圧縮された後の狭められた色再現範囲を使用するようにしてもよい。
【００７１】
光源補正を行なった後にマッピングする方法は、特開２００７-１６６４０２号公報で解説され、この技術を用いれば、入力された色データがどの色にマッピングされるのかを算出することができる。
【００７２】
図９は、入力画像に含まれる色データを色再現領域（ガマット体積）内にマッピングした例を示す模式図である。
【００７３】
図９に示す状態において、例えば次の式によって、評価値Ｔ（ｎ）を演算することができる。
【００７４】
【数３】
2015115688.tif 000005
ここで、Ｌ（ｎ）は、例えば光源補正後のガマット体積の重心（図中では点Ａ）から、各マッピングされた色データまでの距離であり、ｍは、その色データが入力画像に含まれている個数である。
【００７５】
この例では、評価値Ｔ（ｎ）の値が大きいもの程、発色がよい印刷物が得られると評価し、ソートした結果をリストアップして表示する。
【００７６】
（変形例）
上記実施例において、入力画像を表現する色空間がｓＲＧＢ色空間であると仮定したが、ｓＲＧＢ色空間に限定する必要はなく、どのような色空間でもよい。入力画像を表現する色空間が、例えば、ＡｄｏｂｅＲＧＢ空間やｓＹＣＣ空間であってもよく、入力デバイスに依存する色空間であってもよい。
【００７７】
また、上記実施例において、出力デバイス色域をＲＧＢ各９スライスしたデータの測定結果を予め測色する分光反射率であるが、９スライスに限定する必要はなく、出力デバイスの色域がわかる程度のスライス数であれば何でもよい。例えば、計算量を減らすために、スライス数を５や７等に減らしてもよく、精度を上げるために、スライス数を１２や１７等に増やしてもよく、用途に応じて使い分けることができる。
【００７８】
なお、本発明は、複数の機器（例えばホストコンピュータ、インタフェイス機器、リーダ、プリンタなど）で構成されているシステムに適用してもよく、一つの機器からなる装置(例えば、複写機、ファクシミリ装置など)に適用してもよい。
【００７９】
また、上記実施例とは異なるシステム例として、図１０に示すように、ネットワークを介したクライアントとサーバという形態で実現するようにしてもよい。
【００８０】
図１０は、ネットワークを介してシステムを構築した場合の例を示す図である。
【００８１】
図１０に示す例では、サーバ側に各印刷媒体の分光反射率を格納したデータベースを持ち、クライアントのＵＩ部から入力された情報のリクエストに答える形で、ガマット体積等の情報を返すことでシステムが実現される。
【００８２】
上記ガマット体積を、観察光源が指定された際に格納されていた分光反射率から算出するようにしてもよく、また、予め算出した結果を記憶手段に格納してもよい。
【００８３】
また上記ガマット体積を評価して印刷媒体を選択する際に、印刷に用いる画像出力装置の最大のガマット体積を評価してもよく、また、入力された画像に含まれる色のみに絞って評価するようにしてもよい。なお、そのときに入力される画像は、ＲＧＢの画像であってもよい。
【００８４】
なお、本実施例の機能は以下の構成によっても実現することができる。つまり、本実施例の印刷媒体選択装置の処理を行うためのプログラムコードをシステムあるいは装置に供給し、そのシステムあるいは装置のコンピュータ（またはＣＰＵやＭＰＵ）がプログラムコードを実行することによっても達成される。この場合、記憶媒体から読み出されたプログラムコード自体が上述した実施例の機能を実現することとなり、またそのプログラムコードを記憶した記憶媒体も本実施例の機能を実現することになる。
【００８５】
また、本実施例の機能を実現するためのプログラムコードを、１つのコンピュータ（ＣＰＵ、ＭＰＵ）で実行する場合であってもよいし、複数のコンピュータが協働することによって実行する場合であってもよい。さらに、プログラムコードをコンピュータが実行する場合であってもよいし、プログラムコードの機能を実現するための回路等のハードウェアを設けてもよい。またはプログラムコードの一部をハードウェアで実現し、残りの部分をコンピュータが実行する場合であってもよい。
【００８６】
なお、プログラムコードを供給するための記憶媒体としては、例えば、フロッピー（登録商標）ディスク、ハードディスク、光ディスク、光磁気ディスク、ＣＤ−ＲＯＭ、ＣＤ−Ｒ、磁気テープ、不揮発性のメモリカード、ＲＯＭなどがある。
【００８７】
また、コンピュータが読み出したプログラムコードを実行することにより、前述した実施例の機能が実現されるだけではない。そのプログラムコードの指示に基づき、コンピュータ上で稼動しているＯＳ（オペレーティングシステム）などが実際の処理の一部を行い、その処理によって前述した実施例の機能が実現される場合も含まれる。
【符号の説明】
【００８８】
２０１…ＵＩ部、
２０２…分光反射率記憶部、
２０３…光源補正演算部、
２０４…演算結果保持部、
２０５…演算結果ソート部。
【図１】
2015115688.tif 000006
【図２】
2015115688.tif 000007
【図３】
2015115688.tif 000008
【図４】
2015115688.tif 000009
【図５】
2015115688.tif 000010
【図６】
2015115688.tif 000011
【図７】
2015115688.tif 000012
【図８】
2015115688.tif 000013
【図９】
2015115688.tif 000014
【図１０】
2015115688.tif 000015